(57)【特許請求の範囲】
【請求項１】
紙を主材料とする簡易容器において、
凹凸を有する外装紙を胴の部分に巻付けるようにし、
しかも該外装紙にリブによって囲まれる前記凹凸のない領域を設け、該凹凸のない領域がその内側の胴の部分よりも大きな曲率の湾曲した膨出部になっていて、該凹凸のない領域に所定の表示を形成することを特徴とする簡易容器。
【請求項２】
前記リブによって囲まれる凹凸のない領域にバーコードリーダで読取られるバーコードが表示されることを特徴とする請求項１に記載の簡易容器。
【請求項３】
前記リブによって囲まれる凹凸のない領域に文字または絵柄が表示されることを特徴とする請求項１に記載の簡易容器。
【請求項４】
前記リブによって囲まれる凹凸のない領域の縦方向の断面の曲率よりも横方向の断面の曲率の方が大きくなっていることを特徴とする請求項１に記載の簡易容器。
【請求項５】
前記凹凸のない領域を囲む前記リブの横方向に延びる部分に凹部が形成されていることを特徴とする請求項１に記載の簡易容器。
【請求項６】
紙を主材料とする簡易容器において、
凹凸を有する外装紙を胴の部分に巻付けるようにし、
前記凹凸のない領域の横方向の端部または上下方向の端部が前記外装紙の側端に接するようにし、
しかも該外装紙の側端に接する前記凹凸のない領域に所定の表示を形成することを特徴とする簡易容器。
【発明の詳細な説明】
【０００１】
【発明の属する技術分野】
本発明は簡易容器に係り、とくに紙を主材料とする簡易容器であって、凹凸を有する外装紙を胴の部分に巻付けるようにした簡易容器に関する。
【０００２】
【従来の技術】
自動販売機等によって飲料を供給するための容器として、紙製のカップ状簡易容器が広く用いられている。この種の簡易容器は、紙によって逆円錐台状に巻いて成形したものであって、上部開口の外周縁を外側へ巻込んでカール部としている。
【０００３】
このような紙製の簡易容器はその胴の部分が単一の板紙から構成されるために、中に熱い飲料を注入した場合には、その熱さが胴部を通して指に伝わることになる。そこで熱い飲料等を充填するための容器として、実用新案登録第２５２０７１２号公報に開示されているように、片面にライナを貼った段ボールを中芯を外側にして簡易容器の胴の外周部に貼るようにした断熱性容器が提案されている。このような容器によると、胴の外周側に巻付けられた片面ライナの段ボールから成る断熱シートによって容器の胴の部分に断熱性が付与される。
【０００４】
【発明が解決しようとする課題】
ところがこのような断熱性簡易容器は、外側に中芯が位置するように片面段ボールを巻付けるようにしているために、段ボールの中芯の凹凸によって胴の外周側の部分が平坦でなくなる。従ってこのような容器においては、外周側にバーコード、内容物に関する説明、あるいは美麗な絵柄を印刷しようとしても、うまく印刷できない。また凹凸の部分に印刷したバーコードをバーコードリーダで読取ろうとしても、読取りミスを発生する。印刷が文字や絵柄だと、正しく読取ったり認識したりすることができない。
【０００５】
本発明はこのような問題点に鑑みてなされたものであって、機械で読取られる表示や文字、絵柄を形成することができるようにした断熱式の簡易容器を提供することを目的とする。
【０００６】
【課題を解決するための手段】
本願の主要な発明は、紙を主材料とする簡易容器において、
凹凸を有する外装紙を胴の部分に巻付けるようにし、
しかも該外装紙にリブによって囲まれる前記凹凸のない領域を設け、該凹凸のない領域がその内側の胴の部分よりも大きな曲率の湾曲した膨出部になっていて、該凹凸のない領域に所定の表示を形成することを特徴とする簡易容器に関するものである。ここで、前記リブによって囲まれる凹凸のない領域にバーコードリーダで読取られるバーコードが表示されるようにしてよい。また前記リブによって囲まれる凹凸のない領域に文字または絵柄が表示されてよい。また前記リブによって囲まれる凹凸のない領域の縦方向の断面の曲率よりも横方向の断面の曲率の方が大きくなっていてよい。また前記凹凸のない領域を囲む前記リブの横方向に延びる部分に凹部が形成されていることが好適である。
【０００７】
本願の別の主要な発明は、紙を主材料とする簡易容器において、
凹凸を有する外装紙を胴の部分に巻付けるようにし、
前記凹凸のない領域の横方向の端部または上下方向の端部が前記外装紙の側端に接するようにし、
しかも該外装紙の側端に接する前記凹凸のない領域に所定の表示を形成することを特徴とする簡易容器に関するものである。
【００１０】
【発明の実施の形態】
以下本発明を図示の実施の形態によって説明する。図１〜図６は本願の第１の実施の形態の簡易容器を示している。この簡易容器は図１および図２に示すように、ほぼ逆円錐台状をなす胴部１０を備えている。このような胴部１０はほぼ扇形をなす板紙を巻いて成形されている。そしてこのような胴部１０の上部開口１１は外側に巻込まれてカール部１２が形成されている。このようなカール部１２によって形状保持性が付与される。またこの簡易容器はその底部が底板１３によって閉塞される。底板１３はその外周側に下方に折曲げられた周壁部１４を備え、この周壁部１４が胴部１０の下端と折返し部１５とによって挟着されている。
【００１１】
このような容器は、断熱性を付与するためにその胴部１０の外周側に外装紙２０が接合される。外装紙２０は図３に示すように板紙をほぼ扇形に打抜いたものであって、その両端にはそれぞれ接合部２１、２２が形成され、これらの接合部２１、２２が互いに接合されるようにして胴部１０の外周側に巻付けられるようになっている。また外装紙２０はほぼ角錐台状部から成る多数のエンボス２３を備えている。なおエンボス２３はその大きさが外装紙２０の上端側において大きく、下端側に行くに従って次第に小さくなっている。そしてこのようなエンボス２３を備える外装紙２０を胴部１０の外周側に巻付けることによって、胴部１０の外周側との間に空間を形成し、これによって空気層を形成して断熱性を容器に付与するようにしている。また外装紙２０のエンボス２３によって指との接触面積が減少するために、熱さを指が感じなくなり、体感温度が低くなる。
【００１２】
次にこのような外装紙２０の外表面にバーコード表示を形成する構造について説明する。図１および図３に示すように外装紙２０の右側であってその下端側のコーナの近傍には平坦部２７が形成されている。そしてこの平坦部２７にバーコード２８が印刷されて表示されている。しかも上記平坦部２７の外側を囲むように縦方向のリブ２９と横方向のリブ３０とが形成されている。これらのリブ２９、３０は外装紙２０のエンボス２３が形成された領域と平坦部２７とを区画するためのものであって、エンボス２３がある部分とない部分とで紙の変形量が相違するために、このような変形量の相違を吸収する機能を果す。従ってこれにより、平坦部２７を形成しても、この平坦部２７に皺がよらず、安定にバーコード２８を形成できる。
【００１３】
バーコード２８が形成される平坦部２７を囲む上下のリブ３０には図４に示すように、その中間の２箇所に凹部３１が形成されている。これらの凹部３１はこの外装紙２０を胴部１０の外周側に巻付ける際に上下のリブ３０が突張って巻難くなるのを阻止するためのものである。
【００１４】
上記リブ２９、３０によって囲まれる平坦部２７は図５および図６に示すように、円弧状の断面をなしている。横方向の断面は図５に示すように、内側の胴部１０よりも大きな曲率を有している。すなわち胴部１０の曲率半径をＲ１  とし、平坦部２７の曲率半径をＲ２  とすると、Ｒ１  ＞Ｒ２  の関係が成立するようにしている。またこの平坦部２７の縦方向の断面は図６に示すようになっており、横方向よりも緩やかな円弧状断面をなしている。そしてこのように全体として円弧状であって外周側へ突出するように膨出する膨出部から成る平坦部２７の表面にバーコード２８が印刷されている。
【００１５】
このようにバーコード２８が印刷されている領域がエンボス２３を有さず、所定の曲率の膨出部から成る平坦部２７であるために、エンボス加工の前に予め印刷されているバーコード２８の部分が変形することがなく、このような予め印刷されたバーコード２８をバーコードリーダによって確実に読取ることが可能になり、読取りミスが発生しない。従って外装紙２０によって断熱性を付与するとともに、バーコード２８の読取りミスを発生しない断熱式の簡易容器が提供される。とくにこの簡易容器の特徴は、平坦部２７の周囲がリブ２９、３０によって囲まれていることである。このようにリブ２９、３０によって囲まれているために、エンボス２３を形成しても平坦部２７に皺がよることがなく、余剰の紙の変形をこれらのリブ２９、３０によって吸収することができる技術的優位性を示すものである。
【００１６】
次に第２の実施の形態を図７〜図１０によって説明する。この実施の形態はエンボス２３を形成した外装紙２０の右下側のコーナの近傍に平坦部２７を形成するとともに、その外周側の部分にリブ２９、３０を形成したものである。ここで上下のリブ３０は図８に示すように、その中間の２箇所において凹部３１を備えており、このような凹部３１によって外装紙２０の胴部１０に対する巻付けを円滑に行なうようにしている。またこの平坦部２７の横方向の断面は図９に示すように、ほぼ直線状をなしている。これに対して平坦部２７の縦方向断面は図１０に示すように緩やかな波形をなしており、上下に一対ずつの円弧状をなす膨出部を備えた構造になっている。
【００１７】
このような構造においても、予め印刷されたバーコード２８が平坦部２７に位置するために変形することがない。従ってこのようなバーコード２８をバーコードリーダで正確に読取ることが可能になる。
【００１８】
図１１は上記２つの実施の形態の変形例を示している。この変形例においては、外装紙２０の左下側のコーナの近傍の部分に平坦部２７を形成するとともに、その周囲にリブ２９、３０を形成した構成を示している。
【００１９】
図１２はバーコード２８が形成される平坦部２７の位置を外装紙２０の横方向のほぼ中間位置であって下方に偏倚した位置に形成するようにしたものである。なおここでも平坦部２７は上下のリブ３０と左右のリブ２９とによってその４辺が囲まれている。
【００２０】
次に第３の実施の形態を図１３によって説明する。この実施の形態は平坦部２７がその周囲にリブ２９、３０を備えていない。その代りに平坦部２７は外装紙２０の側端であって接合部２２に接するとともに、下端側の部分がこの外装紙２０の下縁に接している。
【００２１】
外装紙２０の平坦部２７以外の他の部位にはエンボス２３が形成される。このようなエンボス２３を形成する際に、その面方向に外装紙２０が引伸ばされるために平坦部２７が横方向の歪を受ける。ところがこのような横方向の歪が接合部２２を形成した側端部またはこの外装紙２０の下縁によって逃がされるために、リブ２９、３０を形成しなくても平坦部２７が皺を生ずることがない。
【００２２】
このように平坦部２７を外装紙２０の側端に接する位置に形成することによって、リブを周囲に形成することなくしかも皺の発生を防止できる。従ってこのことから、このような位置に予め印刷されたバーコード２８が変形することがなく、正しくバーコードリーダで読取ることが可能になる。しかも外装紙２０には平坦部２７以外の領域に凹凸のエンボス２３が形成されるために、これによってこの簡易容器に断熱性が付与される。
【００２３】
図１４は変形例を示している。この変形例はリブ２９、３０を有しない平坦部２７を接合部２２に接するとともに、外装紙２０の高さ方向の中間位置に形成するようにしたものである。ここでも平坦部２７が接合部２２に接しているために、接合部２２側を通して歪を逃がすことによって、平坦部２７に皺が発生することが防止される。
【００２４】
図１５はさらに別の変形例を示している。この変形例は外装紙２０の左側の接合部２１に接するように平坦部２７を設け、この平坦部２７にバーコード２８を印刷している。従ってこのような平坦部２７によって、その側端と上方とに面方向の外装紙２０の変形を逃がすことが可能になる。従ってこのことから、平坦部２７に皺が発生することが防止される。
【００２５】
しかも外装紙２０の左右の中間位置には別の平坦部３４を形成している。この平坦部３４はこの外装紙２０の側端に接しないために、その周囲にリブ２９、３０を形成するようにしており、これによって平坦部３４内に皺が発生するのを防止している。なおこのような平坦部３４には美麗印刷や商品の説明、あるいはカップ麺の容器として用いたときの調理の手順の説明等を印刷によって表示することが可能になる。
【００２６】
図１６は別の変形例を示している。この変形例は外装紙２０の右側の側端であって接合部２２に接する部分にその全高に亘って平坦部２７を形成している。このような平坦部２７はその下側の部分にバーコード２８が印刷されるとともに、上側の部分には商品の説明または調理方法の説明が表示されるようになっている。そしてここでも縦方向の全高に延びる平坦部２７は接合部２２と接しており、この接合部２２を介して側端に接する構造になっているために、この側端を通して変形を逃がすことが可能になる。従って外装紙２０の平坦部２７を除く他の領域にエンボス２３を形成しても、平坦部２７が皺を発生しない。
【００２７】
次に第４の実施の形態を図１７〜図１９によって説明する。この実施の形態はエンボス２３が形成された外装紙２０の所定の位置にほぼ矩形の開口３５を形成するようにしたものである。そしてこのような開口３５に対応して、外装紙２０に対してその内側に位置する胴部１０の外表面にバーコード３７を形成したものである。すなわちここでは外装紙２７にはバーコードを形成することなく、その代りにエンボスを備えない胴部１０の外表面にバーコード３７を形成したものである。
【００２８】
従ってこのような容器は、エンボス２３を備える外装紙２０によってこの簡易容器に断熱性を付与することが可能になる。しかも胴部１０の外表面に形成されているバーコード３７を外装紙２０の開口３５を通して確認することができ、外側からバーコードリーダによって読取ることが可能になる。すなわち胴部１０にはエンボス２３が形成されていないために、バーコード３７を正しく読取ることができ、読取りミスの発生がない。
【００２９】
図２０は上記実施の形態の変形例を示している。ここでは外装紙２０の右側の下端に切欠き３６を形成し、この切欠き３６によって形成される窓を通して胴部１０に形成されたバーコード３７を読取るようにしている。
【００３０】
図２１はさらに別の変形例を示している。この変形例は外装紙２０の左右の中間位置であってその下端に臨むように切欠き３６を形成している。従ってこの切欠き３６によって形成される窓を通して胴部１０の外表面に形成されたバーコード３７を読取ることが可能になる。
【００３１】
図２２はさらに別の変形例を示している。ここでは外装紙２０の左右の中間位置であってやや高い位置に開口３５を形成している。そしてこのような開口３５と対応するように胴部１０の外表面にバーコード３７を形成している。従って開口３７から成る窓を通して胴部１０の外表面に形成されたバーコード３７をバーコードリーダで正しく読取ることが可能になる。
【００３２】
次にさらに別の実施の形態を図２３および図２４によって説明する。この実施の形態は外装紙２０に平坦部２７や開口３５、あるいは切欠き３６を形成することなく、その全面にエンボス２３を形成している。しかもここで外装紙２０の周方向の寸法をこの容器の胴部１０の周方向の寸法よりもやや短くし、これによって外装紙２０が胴部１０に巻付けられたときに外装紙２０の周方向の両端間に間隙を生じさせ、この間隙の部分において胴部１０の外表面を外側に露出させるようにしたものである。
【００３３】
このように外装紙２０の周方向の寸法を短くして外装紙２０の周方向の両端間において胴部１０を外側へ露出した構造によれば、図２３および図２４に示すように胴部１０の周方向の一部がその全高に亘って露出する。従ってこのような露出された部分にバーコード２８や商品の説明、あるいはまたカップ麺の容器として用いる場合にはその調理方法、あるいは生産者の表示等を施すことが可能になる。しかもこれらの表示はエンボス２３が形成されていない胴部１０の外表面に直接形成されているために、変形を生ずることがない。従ってバーコード２０をバーコードリーダで読取るときに読取りミスが発生しない。また商品の表示や調理方法を細い字で表示しても、読み難くなることがない。あるいはまた生産者の表示が正しく消費者に対して伝えられることになる。
【００３４】
【発明の効果】
本願の主要な発明は、紙を主材料とする簡易容器において、凹凸を有する外装紙を胴の部分に巻付けるようにし、しかも該外装紙にリブによって囲まれる凹凸のない領域を設け、該凹凸のない領域がその内側の胴の部分よりも大きな曲率の湾曲した膨出部になっていて、該凹凸のない領域に所定の表示を形成するようにしたものである。
【００３５】
従って凹凸のない領域に設けられている表示を機械によって正しく読取ることが可能になる。
【００３６】
本願の別の主要な発明は、紙を主材料とする簡易容器において、凹凸を有する外装紙を胴の部分に巻付けるようにし、凹凸のない領域の横方向の端部または上下方向の端部が外装紙の側端に接するようにし、しかも該外装紙の側端に接する凹凸のない領域に所定の表示を形成するようにしたものである。
【００３７】
従って表示が形成される凹凸のない領域が外装紙の側端に接するために、凹凸を外装紙に形成しても凹凸のない領域に皺が発生することがなく、これによって表示を機械で正しく読取ることが可能になる。
【図面の簡単な説明】
【図１】第１の実施の形態の簡易容器の分解斜視図である。
【図２】同簡易容器の縦断面図である。
【図３】外装紙の展開平面図である。
【図４】図３におけるＡ〜Ａ線断面図である。
【図５】図３におけるＢ〜Ｂ線断面図である。
【図６】図３におけるＣ〜Ｃ線断面図である。
【図７】第２の実施の形態の簡易容器の外装紙の展開平面図である。
【図８】図７におけるＤ〜Ｄ線断面図である。
【図９】図７におけるＥ〜Ｅ線断面図である。
【図１０】図７におけるＦ〜Ｆ線断面図である。
【図１１】変形例の外装紙の展開平面図である。
【図１２】別の変形例の外装紙の展開平面図である。
【図１３】第３の実施の形態の簡易容器の外装紙の展開平面図である。
【図１４】変形例の外装紙の展開平面図である。
【図１５】別の変形例の外装紙の展開平面図である。
【図１６】さらに別の変形例の外装紙の展開平面図である。
【図１７】第４の実施の形態の簡易容器の分解斜視図である。
【図１８】同簡易容器の縦断面図である。
【図１９】外装紙の展開平面図である。
【図２０】変形例の外装紙の展開平面図である。
【図２１】別の変形例の外装紙の展開平面図である。
【図２２】さらに別の変形例の外装紙の展開平面図である。
【図２３】第５の実施の形態の簡易容器の分解斜視図である。
【図２４】同簡易容器の正面図である。
【符号の説明】
１０  胴部
１１  上部開口
１２  カール部
１３  底板
１４  周壁部
１５  折返し部
２０  外装紙
２１、２２  接合部
２３  エンボス（半球状突部）
２７  平坦部
２８  バーコード
２９、３０  リブ
３１  凹部
３４  平坦部
３５  開口
３６  切欠き
３７  バーコード
【図１】
0004643090.tif 000002
【図２】
0004643090.tif 000003
【図３】
0004643090.tif 000004
【図４】
0004643090.tif 000005
【図５】
0004643090.tif 000006
【図６】
0004643090.tif 000007
【図７】
0004643090.tif 000008
【図８】
0004643090.tif 000009
【図９】
0004643090.tif 000010
【図１０】
0004643090.tif 000011
【図１１】
0004643090.tif 000012
【図１２】
0004643090.tif 000013
【図１３】
0004643090.tif 000014
【図１４】
0004643090.tif 000015
【図１５】
0004643090.tif 000016
【図１６】
0004643090.tif 000017
【図１７】
0004643090.tif 000018
【図１８】
0004643090.tif 000019
【図１９】
0004643090.tif 000020
【図２０】
0004643090.tif 000021
【図２１】
0004643090.tif 000022
【図２２】
0004643090.tif 000023
【図２３】
0004643090.tif 000024
【図２４】
0004643090.tif 000025